(57)【要約】【課題】ゴルフボールの抜出しをなくすことができ、組立作業及び組立後の分解作業を容易にしてコスト低減及び移設が容易な、ゴルフシミュレータ等に用いる筐体構造を提供する。【解決手段】天井シート体６の前端縁を上水平張面フレーム１１Ｕの前面及び上面に添わせて後方に折り曲げた状態としてロープ１０により上水平繋止フレーム１２Ｕに繋止し、幕９の上端縁を上水平張面フレーム１１Ｕに対して天井シート体６の外側に当接させた状態としてロープ１０により上水平繋止フレーム１２Ｕに繋止し、左右の側面シート体の前端縁を左右の垂直張面フレームの前面並びに左面及び右面に添わせて後方に折り曲げた状態としてロープにより左右の垂直繋止フレームに繋止し、幕９の左右の端縁を左右の垂直張面フレームに対して左右の側面シート体の外側に当接させた状態としてロープにより左右の垂直繋止フレームに繋止する。【選択図】図６
2010125047.tif 000002
【特許請求の範囲】
【請求項１】
打撃されたゴルフボールの跳返りが小さくなるように前記ゴルフボールを受け止める、衝撃吸収性のある幕又はネットが前部に設置されるとともに、天井面及び左右側面を備えてなる、ゴルフ場におけるラウンドを模擬体験できるゴルフシミュレーションシステム、並びに、練習及びトレーニングができるゴルフ練習システムに用いられる筐体構造であって、
筐体の前部の上側に左右方向に延びる前後の上水平張面フレーム及び上水平繋止フレームを取り付けるとともに、筐体の前部の左側及び右側に上下方向に延びる前後の左垂直張面フレーム及び左垂直繋止フレーム並びに上下方向に延びる前後の右垂直張面フレーム及び右垂直繋止フレームを取り付けてなり、
前記幕又はネットの上端縁を、前記上水平張面フレームの前面に当接させた状態又は前記上水平張面フレームの前面及び上面に添わせて後方に折り曲げた状態として繋止部材により前記上水平繋止フレームに繋止し、
前記幕又はネットの左端縁及び右端縁を、前記左垂直張面フレーム及び右垂直張面フレームの前面に当接させた状態又は前記左垂直張面フレーム及び右垂直張面フレームの前面及び左右方向外面に添わせて後方に折り曲げた状態として繋止部材により前記左垂直繋止フレーム及び右垂直繋止フレームに繋止してなることを特徴とするゴルフシミュレーションシステム及びゴルフ練習システム用筐体構造。
【請求項２】
打撃されたゴルフボールの跳返りが小さくなるように前記ゴルフボールを受け止める、衝撃吸収性のある幕又はネットが前部に設置されるとともに、天井面及び左右側面を備えてなる、ゴルフ場におけるラウンドを模擬体験できるゴルフシミュレーションシステム、並びに、練習及びトレーニングができるゴルフ練習システムに用いられる筐体構造であって、
筐体の前部の上側に左右方向に延びる前後の上水平張面フレーム及び上水平繋止フレームを取り付けるとともに、筐体の前部の左側及び右側に上下方向に延びる前後の左垂直張面フレーム及び左垂直繋止フレーム並びに上下方向に延びる前後の右垂直張面フレーム及び右垂直繋止フレームを取り付けてなり、
前記天井面を形成する天井シート体の前端縁を、前記上水平張面フレームの前面に当接させた状態又は前記上水平張面フレームの前面及び上面に添わせて後方に折り曲げた状態として繋止部材により前記上水平繋止フレームに繋止し、前記幕又はネットの上端縁を前記上水平張面フレームに対して前記天井シート体の外側に当接させた状態として繋止部材により前記上水平繋止フレームに繋止し、
前記左側面を形成する左側面シート体の前端縁を、前記左垂直張面フレームの前面に当接させた状態又は前記左垂直張面フレームの前面及び左面に添わせて後方に折り曲げた状態として繋止部材により前記左垂直繋止フレームに繋止し、前記幕又はネットの左端縁を前記左垂直張面フレームに対して前記左側面シート体の外側に当接させた状態として繋止部材により前記左垂直繋止フレームに繋止し、
前記右側面を形成する右側面シート体の前端縁を、前記右垂直張面フレームの前面に当接させた状態又は前記右垂直張面フレームの前面及び右面に添わせて後方に折り曲げた状態として繋止部材により前記右垂直繋止フレームに繋止し、前記幕又はネットの右端縁を前記右垂直張面フレームに対して前記右側面シート体の外側に当接させた状態として繋止部材により前記右垂直繋止フレームに繋止してなることを特徴とするゴルフシミュレーションシステム及びゴルフ練習システム用筐体構造。
【請求項３】
前記左側面シート体及び右側面シート体を、緩衝材及び該緩衝材を被う表面化粧シートからなる複数の分割体により、これらを積み重ねて形成してなる請求項２記載のゴルフシミュレーションシステム及びゴルフ練習システム用筐体構造。
【請求項４】
前記左側面シート体及び右側面シート体を、打撃されたゴルフボールの跳返りが小さくなるように前記ゴルフボールを受け止める、衝撃吸収性のある生地により形成し、前記左垂直張面フレーム及び左垂直繋止フレームの右面と前記左側面シート体との間、並びに、前記右垂直張面フレーム及び右垂直繋止フレームの左面と前記右側面シート体との間に緩衝材を介在させてなる請求項２記載のゴルフシミュレーションシステム及びゴルフ練習システム用筐体構造。
【請求項５】
前記天井シート体を、打撃されたゴルフボールの跳返りが小さくなるように前記ゴルフボールを受け止める、衝撃吸収性のある生地により形成し、前記上水平張面フレーム及び上水平繋止フレームの下面と前記天井シート体との間に緩衝材を介在させてなる請求項３又は４記載のゴルフシミュレーションシステム及びゴルフ練習システム用筐体構造。
【請求項６】
前記左側面シート体を前記筐体の後端部左側に取り付けた垂直フレームの右面、後面及び左面を被うように前方へ引き回し、その端縁を繋止部材により垂直フレームに繋止するとともに、前記右側面シート体を前記筐体の後端部右側に取り付けた垂直フレームの左面、後面及び右面を被うように前方へ引き回し、その端縁を繋止部材により垂直フレームに繋止してなる請求項３又は４記載のゴルフシミュレーションシステム及びゴルフ練習システム用筐体構造。
【発明の詳細な説明】
【技術分野】
【０００１】
本発明は、ゴルフ場におけるラウンドを室内等において模擬体験できるゴルフシミュレーションシステム（ゴルフシミュレータ）等に用いられる筐体構造に関するものである。
【背景技術】
【０００２】
近年、室内等でゴルファーが打ったゴルフボールの打出し角度及び初速度並びに回転方向及び回転速度等をカメラ又は光学式センサ等により計測して演算及び表示をすることにより、室内等の狭い場所で天候や時間帯等に左右されずに、ゴルフ場におけるラウンドを模擬体験できるゴルフシミュレーションシステム（例えば、特許文献１及び２参照。）、並びに、練習及びトレーニングができるゴルフ練習システム（例えば、特許文献３参照。）が実用化されている。
このようなゴルフシミュレーションシステム（ゴルフシミュレータ）及びゴルフ練習システム（以下において、「ゴルフシミュレータ等」と言う。）においては、ゴルファーが打ったゴルフボールを受け止める幕又はネットが前部に設置されるとともに、特に室内に設置されるものにおいては、主に安全面の配慮から、ゴルフボールが飛散しないように天井面及び左右側面がある筐体が設置される（例えば、特許文献２の図１参照。）。
【０００３】
【特許文献１】特表２００５−５１０２６９号公報（図１、図６−９）
【特許文献２】実開平５−７０５７０号公報（図１）
【特許文献３】特開２００３−１１７０４４号公報（図１−２）
【発明の開示】
【発明が解決しようとする課題】
【０００４】
以上のような従来のゴルフシミュレータ等は、ゴルフ練習場、イベント会場、アミューズメントスポット、レジャースペース及び保養施設等の他、ゴルフバー、ゴルフカフェ及びゴルフレストラン等のゴルフシミュレータ等を主な売り物にした施設にも設置されるようになってきており、その導入箇所が急速に増加している。
したがって、技術レベルの異なる多数の者が使用することから、特に初心者や初級者がゴルフボールを打った際に、前部の幕又はネットのみならず天井面及び左右側面にも、初速が３０〜５０ｍ／ｓ程度に達する硬質のゴルフボールが当たる可能性があるため、筐体内面全体をゴルフボールの跳返りが少ない構造にする必要があるとともに、筐体の隙間からゴルフボールが外部へ抜け出さない構造にする必要がある。
【０００５】
その上、上述のような導入箇所の増加により、ゴルフシミュレータ等がイベント会場やアミューズメントスポット等に一時的に設置される場合や、同一の施設内において移設される場合等も増えているため、ゴルフシミュレータ等の筐体を軽量で簡素な構成にするとともに、分解及び組立も容易にする必要性が高まっている。
その上さらに、このようにゴルフシミュレータ等の筐体を簡素な構成として移設を容易にするニーズがある反面、特に室内に設置されるものにおいて、該室内の装飾等に対して違和感を与えないように滑らかな外観とする必要がある。
【０００６】
以上のようなニーズに対して、木製又は金属製のパネルからなる強固な天井材及び壁材を組み合わせて構成する筐体構造では、ゴルフボールを確実に受け止めることにより外部への抜出しをなくすこと、外観を滑らかにデザインすること、及び、前記パネルに衝撃吸収材を貼付してゴルフボールの跳返りを少なくすること等が容易である反面、重量が大きくなるとともに、組立作業及び組立後の分解作業が容易ではない。
よって、筐体自体のコスト及び筐体の据付作業のコストが増大するとともに、一時的に設置される場合や同一の施設内において移設される場合等において、ゴルフシミュレータ等の移設を容易に行うことができない。
【０００７】
また、特許文献２のような筐体構造では、比較的簡素な構成であることからゴルフシミュレータ等の移設を比較的容易に行うことができるが、支柱及びフレームからなる基本構造物を設置し、ゴルフボールを受け止めるとともに映像が投影される矩形状の幕をロープ等により上下左右のフレーム及び支柱に固定しているため、幕が打球の威力を減衰するように変形しやすい素材で形成されていることと相俟って、支柱及びフレームとこれらに張られる幕との間からゴルフボールが抜け出る場合があり得る。
その上、天井面及び左右側面を形成するために天井ボード及び側面ボードを設置しているため、これらのボードにゴルフボールが当たると大きく跳ね返る場合があるとともに、天井ボード及び側面ボードの外側に設置された支柱及びフレームが筐体の外部に露出しているため、特に室内に設置されるものにおいて違和感を与える場合がある。
【０００８】
そこで本発明が前述の状況に鑑み、解決しようとするところは、筐体内面全体をゴルフボールの跳返りが少ない構造とするとともに、筐体の隙間からのゴルフボールの抜出しをなくすことができ、軽量かつ簡素な構成により組立作業及び組立後の分解作業を容易にしてコストの低減化及び移設の容易化を図ることができ、滑らかな外観により違和感を与えることがない、ゴルフシミュレーションシステム及びゴルフ練習システム用筐体構造を提供する点にある。
【課題を解決するための手段】
【０００９】
本発明に係るゴルフシミュレーションシステム及びゴルフ練習システム用筐体構造は、前記課題解決のために、打撃されたゴルフボールの跳返りが小さくなるように前記ゴルフボールを受け止める、衝撃吸収性のある幕又はネットが前部に設置されるとともに、天井面及び左右側面を備えてなる、ゴルフ場におけるラウンドを模擬体験できるゴルフシミュレーションシステム、並びに、練習及びトレーニングができるゴルフ練習システムに用いられる筐体構造であって、筐体の前部の上側に左右方向に延びる前後の上水平張面フレーム及び上水平繋止フレームを取り付けるとともに、筐体の前部の左側及び右側に上下方向に延びる前後の左垂直張面フレーム及び左垂直繋止フレーム並びに上下方向に延びる前後の右垂直張面フレーム及び右垂直繋止フレームを取り付けてなり、前記幕又はネットの上端縁を、前記上水平張面フレームの前面に当接させた状態又は前記上水平張面フレームの前面及び上面に添わせて後方に折り曲げた状態として繋止部材により前記上水平繋止フレームに繋止し、前記幕又はネットの左端縁及び右端縁を、前記左垂直張面フレーム及び右垂直張面フレームの前面に当接させた状態又は前記左垂直張面フレーム及び右垂直張面フレームの前面及び左右方向外面に添わせて後方に折り曲げた状態として繋止部材により前記左垂直繋止フレーム及び右垂直繋止フレームに繋止してなるものである。
【００１０】
また、本発明に係るゴルフシミュレーションシステム及びゴルフ練習システム用筐体構造は、前記課題解決のために、打撃されたゴルフボールの跳返りが小さくなるように前記ゴルフボールを受け止める、衝撃吸収性のある幕又はネットが前部に設置されるとともに、天井面及び左右側面を備えてなる、ゴルフ場におけるラウンドを模擬体験できるゴルフシミュレーションシステム、並びに、練習及びトレーニングができるゴルフ練習システムに用いられる筐体構造であって、筐体の前部の上側に左右方向に延びる前後の上水平張面フレーム及び上水平繋止フレームを取り付けるとともに、筐体の前部の左側及び右側に上下方向に延びる前後の左垂直張面フレーム及び左垂直繋止フレーム並びに上下方向に延びる前後の右垂直張面フレーム及び右垂直繋止フレームを取り付けてなり、前記天井面を形成する天井シート体の前端縁を、前記上水平張面フレームの前面に当接させた状態又は前記上水平張面フレームの前面及び上面に添わせて後方に折り曲げた状態として繋止部材により前記上水平繋止フレームに繋止し、前記幕又はネットの上端縁を前記上水平張面フレームに対して前記天井シート体の外側に当接させた状態として繋止部材により前記上水平繋止フレームに繋止し、前記左側面を形成する左側面シート体の前端縁を、前記左垂直張面フレームの前面に当接させた状態又は前記左垂直張面フレームの前面及び左面に添わせて後方に折り曲げた状態として繋止部材により前記左垂直繋止フレームに繋止し、前記幕又はネットの左端縁を前記左垂直張面フレームに対して前記左側面シート体の外側に当接させた状態として繋止部材により前記左垂直繋止フレームに繋止し、前記右側面を形成する右側面シート体の前端縁を、前記右垂直張面フレームの前面に当接させた状態又は前記右垂直張面フレームの前面及び右面に添わせて後方に折り曲げた状態として繋止部材により前記右垂直繋止フレームに繋止し、前記幕又はネットの右端縁を前記右垂直張面フレームに対して前記右側面シート体の外側に当接させた状態として繋止部材により前記右垂直繋止フレームに繋止してなるものである。
【００１１】
ここで、前記左側面シート体及び右側面シート体を、緩衝材及び該緩衝材を被う表面化粧シートからなる複数の分割体により、これらを積み重ねて形成してなると好ましい。
【００１２】
また、前記左側面シート体及び右側面シート体を、打撃されたゴルフボールの跳返りが小さくなるように前記ゴルフボールを受け止める、衝撃吸収性のある生地により形成し、前記左垂直張面フレーム及び左垂直繋止フレームの右面と前記左側面シート体との間、並びに、前記右垂直張面フレーム及び右垂直繋止フレームの左面と前記右側面シート体との間に緩衝材を介在させてなると好ましい。
【００１３】
さらに、前記天井シート体を、打撃されたゴルフボールの跳返りが小さくなるように前記ゴルフボールを受け止める、衝撃吸収性のある生地により形成し、前記上水平張面フレーム及び上水平繋止フレームの下面と前記天井シート体との間に緩衝材を介在させてなると好ましい。
【００１４】
さらにまた、前記左側面シート体を前記筐体の後端部左側に取り付けた垂直フレームの右面、後面及び左面を被うように前方へ引き回し、その端縁を繋止部材により垂直フレームに繋止するとともに、前記右側面シート体を前記筐体の後端部右側に取り付けた垂直フレームの左面、後面及び右面を被うように前方へ引き回し、その端縁を繋止部材により垂直フレームに繋止してなると好ましい。
【発明の効果】
【００１５】
本発明に係るゴルフシミュレーションシステム及びゴルフ練習システム用筐体構造によれば、打撃されたゴルフボールの跳返りが小さくなるように前記ゴルフボールを受け止める、衝撃吸収性のある幕又はネットが前部に設置されるとともに、天井面及び左右側面を備えてなる、ゴルフ場におけるラウンドを模擬体験できるゴルフシミュレーションシステム、並びに、練習及びトレーニングができるゴルフ練習システムに用いられる筐体構造であって、筐体の前部の上側に左右方向に延びる前後の上水平張面フレーム及び上水平繋止フレームを取り付けるとともに、筐体の前部の左側及び右側に上下方向に延びる前後の左垂直張面フレーム及び左垂直繋止フレーム並びに上下方向に延びる前後の右垂直張面フレーム及び右垂直繋止フレームを取り付けてなり、前記幕又はネットの上端縁を、前記上水平張面フレームの前面に当接させた状態又は前記上水平張面フレームの前面及び上面に添わせて後方に折り曲げた状態として繋止部材により前記上水平繋止フレームに繋止し、前記幕又はネットの左端縁及び右端縁を、前記左垂直張面フレーム及び右垂直張面フレームの前面に当接させた状態又は前記左垂直張面フレーム及び右垂直張面フレームの前面及び左右方向外面に添わせて後方に折り曲げた状態として繋止部材により前記左垂直繋止フレーム及び右垂直繋止フレームに繋止してなるので、前部の幕又はネットの他に天井面及び左右側面があることから、幕又はネット並びに天井面及び左右側面がゴルフボールを受け止めるため、様々な方向に打たれるゴルフボールの飛散を防止することができる。
【００１６】
その上、幕又はネットの上端縁及び左右端縁を張面フレームに添わせて繋止部材により繋止フレームに繋止しているため、幕又はネットの上端及び左右端からのゴルフボールの抜出しを確実に阻止することができる。
その上さらに、例えばロープである繋止部材により幕又はネットを繋止フレームに繋止していることから、この繋止作業（ロープを結ぶ作業）及び繋止を解除する作業（ロープの結び目を解く作業）を工具なしで容易に行うことができるため、幕又はネットの上端及び左右端からのゴルフボールの抜出しを確実に阻止することができる構造でありながら、幕又はネットの取付け及び取外し作業を容易に行うことができる。
【００１７】
また、本発明に係るゴルフシミュレーションシステム及びゴルフ練習システム用筐体構造によれば、打撃されたゴルフボールの跳返りが小さくなるように前記ゴルフボールを受け止める、衝撃吸収性のある幕又はネットが前部に設置されるとともに、天井面及び左右側面を備えてなる、ゴルフ場におけるラウンドを模擬体験できるゴルフシミュレーションシステム、並びに、練習及びトレーニングができるゴルフ練習システムに用いられる筐体構造であって、筐体の前部の上側に左右方向に延びる前後の上水平張面フレーム及び上水平繋止フレームを取り付けるとともに、筐体の前部の左側及び右側に上下方向に延びる前後の左垂直張面フレーム及び左垂直繋止フレーム並びに上下方向に延びる前後の右垂直張面フレーム及び右垂直繋止フレームを取り付けてなり、前記天井面を形成する天井シート体の前端縁を、前記上水平張面フレームの前面に当接させた状態又は前記上水平張面フレームの前面及び上面に添わせて後方に折り曲げた状態として繋止部材により前記上水平繋止フレームに繋止し、前記幕又はネットの上端縁を前記上水平張面フレームに対して前記天井シート体の外側に当接させた状態として繋止部材により前記上水平繋止フレームに繋止し、前記左側面を形成する左側面シート体の前端縁を、前記左垂直張面フレームの前面に当接させた状態又は前記左垂直張面フレームの前面及び左面に添わせて後方に折り曲げた状態として繋止部材により前記左垂直繋止フレームに繋止し、前記幕又はネットの左端縁を前記左垂直張面フレームに対して前記左側面シート体の外側に当接させた状態として繋止部材により前記左垂直繋止フレームに繋止し、前記右側面を形成する右側面シート体の前端縁を、前記右垂直張面フレームの前面に当接させた状態又は前記右垂直張面フレームの前面及び右面に添わせて後方に折り曲げた状態として繋止部材により前記右垂直繋止フレームに繋止し、前記幕又はネットの右端縁を前記右垂直張面フレームに対して前記右側面シート体の外側に当接させた状態として繋止部材により前記右垂直繋止フレームに繋止してなるので、前部の幕又はネットの他に天井面及び左右側面があることから、幕又はネット並びに天井面及び左右側面がゴルフボールを受け止めるため、様々な方向に打たれるゴルフボールの飛散を防止することができる。
【００１８】
その上、幕又はネットの上端縁及び左右端縁を天井シート体並びに左側面シート体及び右側面シート体の外側に添わせて繋止部材により繋止フレームに繋止しているため、幕又はネットの上端及び左右端からのゴルフボールの抜出しを確実に阻止することができる。
その上さらに、天井シート体及び左右側面シート体の前端縁を張面フレームに添わせて、例えばロープである繋止部材により繋止フレームに繋止していることから、この繋止作業（ロープを結ぶ作業）及び繋止を解除する作業（ロープの結び目を解く作業）を工具なしで容易に行うことができるため、天井シート体及び左右側面シート体の前端縁の取付け及び取外し作業を容易に行うことができる。
その上、このように容易に取り付けられた天井シート体及び左右側面シート体の外側に幕又はネットの上端縁及び左右端縁を当接させた状態として、例えばロープである繋止部材により繋止フレームに繋止する構成であるため、天井シート体及び左右側面シート体の前端縁並びに幕又はネットの上端縁及び左右端縁の取付け及び取外しを、同一の簡単な手作業により行うことができる。
【００１９】
さらに、前記左側面シート体及び右側面シート体を、緩衝材及び該緩衝材を被う表面化粧シートからなる複数の分割体により、これらを積み重ねて形成してなると、前記効果に加え、左側面シート体及び右側面シート体を緩衝材及び該緩衝材を被う表面化粧シートにより形成しているため、例えばウレタンである緩衝材によりゴルフボールが左右側面に当たった際の跳返りを小さく抑えることができる。
その上、緩衝材を被う表面化粧シートからなる複数の分割体を積み重ねる構成であることから、上下方向の寸法が比較的小さい分割体を順次積み重ねる作業により組付けを行うため、左側面シート体及び右側面シート体を容易に形成することができるとともに、緩衝材により保形性が確保されるため、左側面シート体及び右側面シート体の上端縁をフレームに繋止する必要がない。
その上さらに、左側面シート体及び右側面シート体が複数の分割体により形成されていることから、ゴルフボールが当たって損傷した際に損傷した分割体のみを交換することができるため、メンテナンスコストを低減することができる。
その上、左側面シート体及び右側面シート体の表面が表面化粧シートにより形成されているため、左側面シート体及び右側面シート体の外観を室内の装飾等に容易に適合させることができる。
【００２０】
さらにまた、前記左側面シート体及び右側面シート体を、打撃されたゴルフボールの跳返りが小さくなるように前記ゴルフボールを受け止める、衝撃吸収性のある生地により形成し、前記左垂直張面フレーム及び左垂直繋止フレームの右面と前記左側面シート体との間、並びに、前記右垂直張面フレーム及び右垂直繋止フレームの左面と前記右側面シート体との間に緩衝材を介在させてなると、前記効果に加え、左側面シート体及び右側面シート体を衝撃吸収性のある生地により形成していることにより、これらシート体にゴルフボールが当たった際の跳返りを小さく抑えることができる。
その上、左側面シート体及び右側面シート体と垂直フレームとの間に例えばウレタンである緩衝材を介在させているため、ゴルフボールが垂直フレームに向かって飛んだ際の跳返りも緩衝材により小さく抑えることができる。
その上さらに、例えば緩衝材を垂直フレームに貼着することにより、緩衝材を左側面シート体及び右側面シート体と垂直フレームとの間にのみ介在させていることから、緩衝材の使用量を削減することができるため、コストを低減することができる。
【００２１】
また、前記天井シート体を、打撃されたゴルフボールの跳返りが小さくなるように前記ゴルフボールを受け止める、衝撃吸収性のある生地により形成し、前記上水平張面フレーム及び上水平繋止フレームの下面と前記天井シート体との間に緩衝材を介在させてなると、前記効果に加え、天井シート体を衝撃吸収性のある生地により形成していることにより、天井シート体にゴルフボールが当たった際の跳返りを小さく抑えることができる。
その上、緩衝材により、ゴルフボールが上水平張面フレーム及び上水平繋止フレームに向かって飛んだ際の跳返りも小さく抑えることができる。
【００２２】
さらに、前記左側面シート体を前記筐体の後端部左側に取り付けた垂直フレームの右面、後面及び左面を被うように前方へ引き回し、その端縁を繋止部材により垂直フレームに繋止するとともに、前記右側面シート体を前記筐体の後端部右側に取り付けた垂直フレームの左面、後面及び右面を被うように前方へ引き回し、その端縁を繋止部材により垂直フレームに繋止してなると、前記効果に加え、左側面シート体及び右側面シート体の構成が簡素になるとともに組付け作業も容易であるため、筐体の左側面及び右側面の形成を低コストで行うことができるともに、筐体の左右の側面を滑らかな外観とすることが容易であるため、室内の装飾等に対して違和感を与えることがない。
【発明を実施するための最良の形態】
【００２３】
次に、本発明の実施の形態を添付図面に基づいて説明するが、本発明は、添付図面に示された形態に限定されず特許請求の範囲に記載の要件を満たす実施形態の全てを含むものである。
以下において、本発明の筐体構造をゴルフ場におけるラウンドを模擬体験できるゴルフシミュレーションシステムＧＳに用いた例について説明するが、本発明の筐体構造は練習及びトレーニングができるゴルフ練習システムにも用いることができ、その場合においては、筐体１の前面には、映写スクリーンである幕９ではなく、ネットが設置される構成であってもよい。
また、本明細書においては、打球方向を前（図中矢印Ｆ参照。）とし、左右は前方に向かって言うものとし、前方へ向かって見た図を正面図とする。
【００２４】
図１〜図８は、本発明の実施の形態に係る筐体構造の構成を示す概略説明図であり、図１はゴルフシミュレーションシステムＧＳ全体の斜視図、図２（ａ）は同じく左側面図、図２（ｂ）は同じく正面図、図３は天井シート体６の取付け構造を示す平面図、図４は右側面シート体８の外側シート体８Ｂの取付け構造を示す縦断左側面図、図５（ａ）は右側面シート体８の取付け構造を示す横断平面図、図５（ｂ）は幕体９の右側端縁の取付け構造を示す横断平面図、図６（ａ）は天井シート体６の前端縁の取付け構造を示す縦断左側面図、図６（ｂ）は幕体９の上端縁の取付け構造を示す縦断左側面図、図７及び図８は側面シート体８の別構成例を示す横断平面図である。
【００２５】
図１及び図２に示すように、ゴルフシミュレーションシステムＧＳは、ゴルフ練習場、イベント会場、アミューズメントスポット、レジャースペース及び保養施設等、並びに、ゴルフバー、ゴルフカフェ及びゴルフレストラン等、屋内又は屋外に敷設されたマットＭ上に筐体１が設置され、例えば筐体１の天井体１Ｕの後部右側下面に取り付けたプロジェクタＰＪにより筐体１の前部に取り付けた映写スクリーンである幕９にゴルフコースの映像が映写され、プレイヤー（ゴルファー）がマットＭ上の後部中央に設置したスイング板Ｐ上でスタンスをとり、図示しないゴルフボールを打撃すると、このゴルフボールが衝突した際の跳返りを小さくなるように衝撃吸収性が付与された幕９により、ゴルフボールが受け止められる。
また、プレイヤーにより打撃されたゴルフボールの打出し角度及び初速度並びに回転方向及び回転速度等が図示しないカメラ又は光学式センサ等により計測され、制御装置により所要の演算がされ、ラウンドに必要な映像が幕９に表示されるため、プレイヤーは、前記施設等の狭い場所で天候や時間帯等に左右されずに、ゴルフボールの打撃を繰り返しながらゴルフ場におけるラウンドを模擬体験することができる。
【００２６】
筐体１は、左右の左側壁体１Ｌ及び右側壁体１Ｒ、これらの上側の天井体１Ｕ、並びに、前側の前壁体１Ｆにより形成されるが、筐体１の前部には後述する取付け作業により幕９が張られるため、前壁体１Ｆは無くてもよい。
また、幕９は、前記衝撃吸収性を備えるように、例えばポリエチレン繊維等を編んだ生地により形成され、映写面の裏面には光の透過を防ぐためのコーティングがされる。
【００２７】
次に、筐体１の基体を構成する骨組構造について説明する。
図３及び図４に示すように、筐体１の骨組構造は、例えばアルミニウム合金である軽合金の押し出し型材を連結して構成される、前面フレーム体２、左側面フレーム体３、右側面フレーム体４及び天井フレーム体５からなる。
ここで、前面フレーム体２は、左右方向に延びる上下の水平フレーム２１Ｕ，２１Ｄ及びこれらの左右端をそれぞれ連結する上下方向に延びる左右の垂直フレーム２１Ｌ，２１Ｒからなる正面視矩形状のものである。
また、左側面フレーム体３は、前後方向に延びる上下の水平フレーム２３Ｕ，２３Ｄ及びこれらの前後端をそれぞれ連結する上下方向に延びる前後の垂直フレーム２１Ｌ，２２Ｌからなる側面視矩形状のものであり、さらに、上下の水平フレーム２３Ｕ，２３Ｄは、後述する左側面シート体７の取付け及び補強のために、垂直フレーム１１Ｌ，１２Ｌ，２３Ｌ，２４Ｌ，２５Ｌ，２６Ｌ及び２７Ｌにより連結される。
【００２８】
さらに、右側面フレーム体４は、前後方向に延びる上下の水平フレーム２４Ｕ，２４Ｄ及びこれらの前後端をそれぞれ連結する上下方向に延びる前後の垂直フレーム２１Ｒ，２２Ｒからなる側面視矩形状のものであり、さらに、上下の水平フレーム２４Ｕ，２４Ｄは、後述する右側面シート体８の取付け及び補強のために、垂直フレーム１１Ｒ，１２Ｒ，２３Ｒ，２４Ｒ，２５Ｒ，２６Ｒ及び２７Ｒにより連結される。
さらにまた、天井フレーム体５は、左右方向に延びる前後の水平フレーム２１Ｕ，２２Ｕ及びこれらの前後端をそれぞれ連結する前後方向に延びる左右の水平フレーム２３Ｕ，２４Ｕからなる平面視矩形状のものであり、さらに、左右の水平フレーム２３Ｕ，２４Ｕは、後述する天井シート体６の取付け及び補強のために、左右方向に延びる水平フレーム１１Ｕ，１２Ｕ，水平フレーム２５Ｕにより連結され、水平フレーム２５Ｕに前端部が連結された前後方向に延びる左右の補強フレーム２６Ｕ，２７Ｕの後端部により中間部分が支持された、平面視略弓形の庇フレーム２８Ｕの左右端が水平フレーム２２Ｕの左右端並びに左右の垂直フレーム２２Ｌ，２２Ｒの上端に連結される。
ここで、図１、図２及び図４に示すように、天井フレーム体５の側面には化粧パネル２９が添設されるため、側方から見た上部の外観を滑らかなものとしている。
【００２９】
次に、筐体１の前記骨組構造に対して面を張る、天井シート体６、左側面シート体７及び右側面シート体８並びに幕９の取付け構造について説明する。
図３に示すように、天井シート体６は、その前後左右の端縁に沿って複数の鳩目加工がされており、繋止部材であるロープ１０，…が取り付けられている。
したがって、天井シート体６の左端縁、右端縁及び後端縁のロープ１０，…をそれぞれ水平フレーム２３Ｕ、水平フレーム２４Ｕ及び水平フレーム２２Ｕに縛り付けるとともに、図６（ａ）に示すように天井シート体６の前端縁を上水平張面フレーム１１Ｕの前面及び上面に添わせて後方に折り曲げた状態又は上水平張面フレーム１１Ｕの前面に当接させた状態として、天井シート体６の前端縁のロープ１０，…を後方へ引きながら上水平繋止フレーム１２Ｕに縛り付けることにより、天井シート体６の面を張った状態で、天井シート体６を手作業により容易に天井フレーム体５に取り付けることができる。
【００３０】
ここで、上水平張面フレーム１１Ｕ及び上水平繋止フレーム１２Ｕの下面と天井シート体６との間に、例えばウレタンである緩衝材Ｓ２，…が介在するように、緩衝材Ｓ２，…を上水平張面フレーム１１Ｕ及び上水平繋止フレーム１２Ｕの下面に貼着するとともに、天井シート体６を、打撃されたゴルフボールの跳返りが小さくなるようにゴルフボールを受け止める、衝撃吸収性のある生地（例えば幕９と同様のポリエチレン繊維等を編んだ生地）により形成しているため、天井シート体６にゴルフボールが当たった際の跳返りを小さく抑えることができる。
その上、緩衝材Ｓ２，…により、ゴルフボールが上水平張面フレーム１１Ｕ及び上水平繋止フレーム１２Ｕに向かって飛んだ際の跳返りも小さく抑えることができる。
【００３１】
図１及び図２に示す左側面シート体７及び右側面シート体８は、内側シート体７Ａ及び外側シート体７Ｂ並びに内側シート体８Ａ及び外側シート体８Ｂからなる同様の構成であるため、右側面シート体８を代表させて説明する。
図５（ａ）に示すように、右側面シート体８の内側シート体８Ａは、例えばウレタンである緩衝材Ｓ及び緩衝材Ｓを被う表面化粧シートＣ並びに前後端縁に縫着又は貼着により取り付けた端縁部材Ｔ１，Ｔ２からなり、端縁部材Ｔ１，Ｔ２には上下方向に複数の鳩目加工がされており、繋止部材であるロープ１０，…が取り付けられている。
したがって、内側シート体８Ａの前端縁である端縁部材Ｔ１を、図５（ａ）に示すように右垂直張面フレーム１１Ｒの前面及び右面に添わせて後方に折り曲げた状態又は右垂直張面フレーム１１Ｒの前面に当接させた状態として、端縁部材Ｔ１に取り付けたロープ１０，…により右垂直繋止フレーム１２Ｒに縛り付け、内側シート体８Ａの後部を筐体１の後端部右側の垂直フレーム２２Ｒに取り付けた例えばウレタンである緩衝材Ｓ１（該緩衝材Ｓ１は無くてもよい。）の左面、後面及び右面を被うように前方へ引き回し、端縁部材Ｔ２に取り付けたロープ１０，…により垂直フレーム２５Ｒに縛り付けることにより、内側シート体８Ａを手作業により容易に右側面フレーム体４に取り付けることができる。
【００３２】
また、右側面シート体８の外側シート体８Ｂは、その上及び前後の端縁に沿って複数の鳩目加工がされており、繋止部材であるロープ１０，…が取り付けられている。
したがって、図４に示すように外側シート体８Ｂの上端縁のロープ１０，…を水平フレーム２４Ｕに縛り付け、図５（ａ）に示すように外側シート体８Ｂの前後端縁のロープ１０，…をそれぞれ垂直フレーム２１Ｒ及び２５Ｒに縛り付けることにより、外側シート体８Ｂの面を張った状態で、手作業により容易に右側面フレーム体４に取り付けることができる。
なお、左側面シート体７の内側シート体７Ａ及び外側シート体７Ｂも、同様にして、左側面フレーム体３に取り付けることができる。
このような左側面シート体７及び右側面シート体８の構成により、筐体１の左右の側面を滑らかな外観とすることが容易であるため、室内の装飾等に対して違和感を与えることがない。
【００３３】
さらに、幕９は、その上及び左右の端縁に沿って複数の鳩目加工がされており、繋止部材であるロープ１０，…が取り付けられている。
したがって、上述のようにして天井シート体６並びに左側面シート体７及び右側面シート体８を筐体１の骨組構造に取り付けた後、図６（ｂ）に示すように幕９の上端縁を上水平張面フレーム１１Ｕに対して天井シート体６の外側に当接させた状態としてロープ１０，…により上水平繋止フレーム１２Ｕに縛り付け、図５（ｂ）に示すように幕９の右端縁を右垂直張面フレーム１１Ｒに対して右側面シート体８の内側シート体８Ａの端縁部材Ｔ１の外側に当接させた状態としてロープ１０，…により右垂直繋止フレーム１２Ｒに縛り付け、同様に、幕９の左端縁を左垂直張面フレーム１１Ｌ（図３参照。）に対して左側面シート体７の内側シート体７Ａの端縁部材Ｔ１の外側に当接させた状態としてロープ１０，…により左垂直繋止フレーム１２Ｌ（図３参照。）に縛り付けることにより、幕９の面を張った状態で、手作業により容易に筐体１の前部に取り付けることができる。
【００３４】
次に、側面シート体７及び８の別構成例について説明するが、左側面シート体７及び右側面シート体８は同様の構成であるため、右側面シート体８を代表させて説明する。
図７に示すように、垂直フレーム１１Ｒ、１２Ｒ、２５Ｒ，…の内側面に例えばウレタンである緩衝材Ｓ３，…を貼着するとともに、右側面シート体８の内側シート体８Ａを、図５のような緩衝材Ｓ及び緩衝材Ｓを被う表面化粧シートＣにより構成せずに、打撃されたゴルフボールの跳返りが小さくなるようにゴルフボールを受け止める、衝撃吸収性のある生地（例えば幕９と同様のポリエチレン繊維等を編んだ生地）により形成することにより、右側面シート体８（左側面シート体７も同様。）にゴルフボールが当たった際の跳返りを小さく抑えることができる。
その上、緩衝材Ｓ３，…により、ゴルフボールが垂直フレームに向かって飛んだ際の跳返りも小さく抑えることができる。
その上さらに、緩衝材Ｓ３，…を左側面シート体７（内側シート体７Ａ）及び右側面シート体８（内側シート体８Ａ）と垂直フレームとの間にのみ介在させていることから、緩衝材の使用量を削減することができるため、コストを低減することができる。
ここで、図７（ｂ）に示すように、内側シート体８Ａの後端縁を垂直フレーム２８Ｒの外側に当接させてロープ１０，…により垂直フレーム２５Ｒに縛り付け、外側シート体８Ｂの後端部は、その上下端又は上端を図示しないロープにより水平フレームに縛り付けるとともに、上下方向の中間部分と内側シート体８Ａの外面とを面ファスナー３０又は両面テープ等によりに貼り付けるようにしてもよい。
なお、このような取付構造を、図５（ａ）に示した内側シート体８Ａが緩衝材Ｓ及び緩衝材Ｓを被う表面化粧シートＣ並びに前後端縁に取り付けた端縁部材Ｔ１，Ｔ２により構成される場合に適用してもよい。
【００３５】
また、図８に示すように、垂直フレームの内側面に緩衝材Ｓ３，…を貼着するとともに、右側面シート体８を、図５のような緩衝材Ｓ及び緩衝材Ｓを被う表面化粧シートＣにより構成せずに、打撃されたゴルフボールの跳返りが小さくなるようにゴルフボールを受け止める、衝撃吸収性のある生地（例えば幕９と同様のポリエチレン繊維等を編んだ生地）からなる一枚のシートにより形成し、筐体１の後端部右側に取り付けた垂直フレーム２２Ｒに取り付けた緩衝材Ｓ１（該緩衝材Ｓ１は無くてもよい。）の左面、後面及び右面を被うように前方へ引き回し、その端縁をロープ１０，…により垂直フレーム２１Ｒに繋止することにより、図７の構成と同様に作用効果を奏するとともに、右側面シート体８（左側面シート体７も同様。）の構成が簡素になるとともに組付け作業も容易であるため、筐体１の左側面及び右側面の形成を低コストで行うことができる。
【００３６】
以上のような筐体１の構成によれば、天井面を形成する天井シート体６の前端縁を、上水平張面フレーム１１Ｕの前面に当接させた状態又は上水平張面フレーム１１Ｕの前面及び上面に添わせて後方に折り曲げた状態としてロープ１０，…により上水平繋止フレーム１２Ｕに繋止し、幕９の上端縁を上水平張面フレーム１１Ｕに対して天井シート体６の外側に当接させた状態としてロープ１０，…により上水平繋止フレーム１２Ｕに繋止し、左側面を形成する左側面シート体７の前端縁を、左垂直張面フレーム１１Ｌの前面に当接させた状態又は左垂直張面フレーム１１Ｌの前面及び左面に添わせて後方に折り曲げた状態としてロープ１０，…により左垂直繋止フレーム１２Ｌに繋止し、幕９の左端縁を左垂直張面フレーム１１Ｌに対して左側面シート体７（内側シート体７Ａ）の外側に当接させた状態としてロープ１０，…により左垂直繋止フレーム１２Ｌに繋止し、右側面を形成する右側面シート体８の前端縁を、右垂直張面フレーム１１Ｒの前面に当接させた状態又は右垂直張面フレーム１１Ｒの前面及び右面に添わせて後方に折り曲げた状態としてロープ１０，…により右垂直繋止フレーム１２Ｒに繋止し、幕９の右端縁を右垂直張面フレーム１１Ｒに対して右側面シート体８（内側シート体８Ａ）の外側に当接させた状態としてロープ１０，…により右垂直繋止フレーム１２Ｒに繋止してなるので、幕９の上端縁及び左右端縁を天井シート体６並びに左側面シート体７及び右側面シート体８の外側に添わせてロープ１０，…により繋止フレーム１２Ｕ，１２Ｌ，１２Ｒに繋止しているため、幕９の上端及び左右端からのゴルフボールの抜出しを確実に阻止することができる。
【００３７】
その上さらに、天井シート体６及び左右側面シート体７，８の前端縁を張面フレーム１１Ｕ，１１Ｌ，１１Ｒに添わせて、ロープ１０，…により繋止フレーム１２Ｕ，１２Ｌ，１２Ｒに繋止していることから、この繋止作業（ロープ１０，…を結ぶ作業）及び繋止を解除する作業（ロープ１０，…の結び目を解く作業）を工具なしで容易に行うことができるため、天井シート体６及び左右側面シート体７，８の前端縁の取付け及び取外し作業を容易に行うことができる。
その上、このように容易に取り付けられた天井シート体６及び左右側面シート体７，８の外側に幕９の上端縁及び左右端縁を当接させた状態として、ロープ１０，…により繋止フレーム１２Ｕ，１２Ｌ，１２Ｒに繋止する構成であるため、天井シート体６及び左右側面シート体７，８の前端縁並びに幕９の上端縁及び左右端縁の取付け及び取外しを、同一の簡単な手作業により行うことができる。
【００３８】
また、左側面シート体７及び右側面シート体８を、図５に示すように緩衝材Ｓ及び緩衝材Ｓを被う表面化粧シートＣにより形成し、さらに図１及び図２に示すように上下複数の分割体を積み重ねる構成としており、左側面シート体７及び右側面シート体８を緩衝材Ｓ及び緩衝材Ｓを被う表面化粧シートＣにより形成しているため、例えばウレタンである緩衝材Ｓによりゴルフボールが左右側面に当たった際の跳返りを小さく抑えることができる。
その上、緩衝材Ｓを被う表面化粧シートＣからなる複数の分割体を積み重ねる構成であることから、上下方向の寸法が比較的小さい分割体を順次積み重ねる作業により組付けを行うため、左側面シート体７及び右側面シート体８を容易に形成することができるとともに、緩衝材Ｓにより保形性が確保されるため、左側面シート体７及び右側面シート体８の上端縁をフレームに繋止する必要がない。
その上さらに、左側面シート体７及び右側面シート体８が複数の分割体により形成されていることから、ゴルフボールが当たって損傷した際に損傷した分割体のみを交換することができるため、メンテナンスコストを低減することができる。
その上、左側面シート体７及び右側面シート体８の表面が表面化粧シートＣにより形成されているため、左側面シート体７及び右側面シート体８の外観を室内の装飾等に容易に適合させることができる。
【００３９】
以上の説明においては、繋止部材がロープ１０である場合を示したが、繋止部材はロープではなく、ゴム紐等であってもよく、あるいはゴム又はばね等の先端にフックを取り付けたものであってもよく、天井シート体６、側面シート体７及び８並びに幕９及びネットを所定のフレームに繋止することができるものであればよい。
【図面の簡単な説明】
【００４０】
【図１】本発明の実施の形態に係る筐体構造を使用したゴルフシミュレーションシステム全体の斜視図である。
【図２】（ａ）は同じく左側面図、（ｂ）は同じく正面図である。
【図３】天井シート体の取付け構造を示す平面図である。
【図４】右側面シート体の外側シート体の取付け構造を示す縦断左側面図である。
【図５】（ａ）は右側面シート体の取付け構造を示す横断平面図、（ｂ）は幕体の右側端縁の取付け構造を示す横断平面図である。
【図６】（ａ）は天井シート体の前端縁の取付け構造を示す縦断左側面図、（ｂ）は幕体の上端縁の取付け構造を示す縦断左側面図である。
【図７】側面シート体の別構成例を示す横断平面図である。
【図８】側面シート体の別構成例を示す横断平面図である。
【符号の説明】
【００４１】
ＧＳ  ゴルフシミュレーションシステム
Ｍ  マット
Ｐ  スイング板
ＰＪ  プロジェクタ
Ｓ，Ｓ１，Ｓ２，Ｓ３  緩衝材
Ｃ  表面化粧シート
Ｔ１，Ｔ２  端縁部材
１  筐体
１Ｕ  天井体
１Ｆ  前壁体
１Ｌ  左側壁体
１Ｒ  右側壁体
２  前面フレーム体
３  左側面フレーム体
４  右側面フレーム体
５  天井フレーム体
６  天井シート体
７  左側面シート体
７Ａ  内側シート体
７Ｂ  外側シート体
８  右側面シート体
８Ａ  内側シート体
８Ｂ  外側シート体
９  幕
１０  ロープ（繋止部材）
１１Ｕ  上水平張面フレーム
１２Ｕ  上水平繋止フレーム
１１Ｌ  左垂直張面フレーム
１２Ｌ  左垂直繋止フレーム
１１Ｒ  右垂直張面フレーム
１２Ｒ  右垂直繋止フレーム
２１Ｄ，２３Ｄ，２４Ｄ，２１Ｕ〜２５Ｕ  水平フレーム
２６Ｕ，２７Ｕ  補強フレーム
２８Ｕ  庇フレーム
２１Ｌ〜２７Ｌ，２１Ｒ〜２８Ｒ  垂直フレーム
２９  化粧パネル
３０  面ファスナー
【図１】
2010125047.tif 000003
【図２】
2010125047.tif 000004
【図３】
2010125047.tif 000005
【図４】
2010125047.tif 000006
【図５】
2010125047.tif 000007
【図６】
2010125047.tif 000008
【図７】
2010125047.tif 000009
【図８】
2010125047.tif 000010